(57)【特許請求の範囲】
【請求項１】
天板と、この天板裏面に着脱可能に取り付けられた一対の支持脚とを有するテーブルにおいて、
前記支持脚は、互いに直交する長さの異なる第１および第２の天板支持面を規定している第１および第２の天板支持枠と、これら第１および第２の天板支持枠の双方に対して直交する状態で、それぞれに連結されている連結枠と、前記第１の天板支持枠の先端面および前記連結枠の側面によって規定されているＴ字状の第２の床接触面と、前記第２の天板支持枠の先端面および前記連結枠の別の側面によって規定されているＴ字状の第１の床接触面とを有していることを特徴とするテーブル。
【請求項２】
請求項１において、
前記第１および第２の天板支持枠は、直角に折れ曲がった２本のＬ形角材と、平行に配置されたこれらＬ形角材の両端をそれぞれ連結している連結用角材を備えており、
前記連結枠は、これら２本の連結用角材に対してＴ字状に連結されている直角に折れ曲がった１本の連結用角材を備えていることを特徴とするテーブル。
【発明の詳細な説明】
【０００１】
【発明の属する技術分野】
本発明は、簡単な操作により、高さを二段階に切り換えて、通常の高さのテーブルおよび座卓として使用可能なテーブルに関するものである。
【０００２】
【従来の技術および解決しようとする課題】
高さ調整可能なテーブルとしては、伸縮可能な支持脚を備えたもの、折り畳み可能な支持脚を備えたもの等が知られている。
【０００３】
本発明の課題は、きわめて簡単な構成で、かつ簡単な操作により、二段階に高さを切り換えることのできるテーブルを提案することにある。
【０００４】
【課題を解決するための手段】
図１を参照して説明すると、本発明は、天板２と、この天板裏面２ａに着脱可能に取り付けられた一対の支持脚３、３とを有するテーブル１において、前記支持脚３は、互いに直交する長さの異なる第１および第２の天板支持面４、５を規定している第１および第２の天板支持枠（短脚および長脚）６、７と、これら第１および第２の天板支持枠６、７の双方に対して直交する状態で、それぞれに連結されている連結枠（センター脚）８と、第１の天板支持枠６の先端面（畳摺り）９および連結枠８の側面１１によって規定されているＴ字状の第２の床接触面１２と、第２の天板支持枠７の先端面（畳摺り）１３および連結枠８の別の側面１４によって規定されているＴ字状の第１の床接触面１５とを有していることを特徴としている。
【０００５】
この構成のテーブル１においては、第１の天板支持枠６の長さＬ６は、第２の天板支持枠７の長さＬ７に比べて短い。従って、図１（Ａ）に示すように、第１の天板支持面４によって天板２を支持するように、各支持脚３を立てた場合には、第１の床接触面１５が床に接触した状態となり、その高さがＬ７と高くなる。
【０００６】
これに対して、図１（Ｂ）で示すように、他方の第２の天板支持面５によって天板２を支持するように、各支持脚３を立てた場合には、第２の床接触面１２が床に接触した状態となり、その高さがＬ６と低くなる。
【０００７】
よって、長さＬ７、Ｌ６を適切な寸法に設定しておけば、テーブル高さを、通常のテーブルの高さと、座卓の高さの二段階に切り換えることができる。また、高さ切り換え作業は、単に、支持脚３の向きを９０度変更して側面が上面となるように姿勢を変えるのみでよい。
【０００８】
なお、天板２と各支持脚３の連結部分の構造はいずれの構造出会ってもよい。例えば、ねじ止めとすることもできるし、天板裏面に差し込み用の浅い溝を形成した構造だけであってもよい。さらには、支持脚の上に乗せるだけの構造でもよい。
【０００９】
【発明の実施の形態】
以下に、図面を参照して、本発明のテーブルの実施例を説明する。
【００１０】
図２（Ａ）および（Ｂ）は、本発明の一実施例に係るテーブルを示す斜視図および支持脚を示す斜視図である。本例のテーブル２１も、矩形の天板２２と、これを支持している一対の支持脚２３とを備えており、各支持脚２３は同一構造であり、天板２２の裏面に対して着脱可能な機構で取り付けられている。
【００１１】
支持脚２３は、互いに直交する長さの異なる第１および第２の天板支持面２４、２５を規定している第１および第２の天板支持枠２６、２７と、これら第１および第２の天板支持枠２６、２７の双方に対して直交する状態で、それぞれに連結されている連結枠２８と、第１の天板支持枠２６の先端面２９および連結枠２８の側面３１によって規定されているＴ字状の第２の床接触面３２と、第２の天板支持枠２７の先端面３３および連結枠２８の別の側面３４によって規定されているＴ字状の第１の床接触面３５とを有している。
【００１２】
本例の第１の天板支持枠２６は、平行に延びる一対の角材３６、３７と、これらの間を連結していると共に直交する方向に配列されている３本の連結材３８、３９、４０から構成されている。同様に、第２の天板支持枠２７も、平行に延びる一対の角材３６、４１と、これらの間を連結していると共に直交する方向に配列されている３本の連結材４２、４３、４４から構成されている。また、連結枠２８は一枚の長方形板材の中心を長方形にくり貫いた形状をしている。
【００１３】
本例のテーブル２１においては、第１の天板支持枠２６の長さＬ２６が、第２の天板支持枠２７の長さＬ２７に比べて短い。従って、図２に示すように、第１の天板支持面２４によって天板２２を支持するように、各支持脚２３を立てた場合には、第１の床接触面３５が床に接触した状態となり、その高さがＬ２７と高くなる。
【００１４】
これに対して、図３に示すように、他方の第２の天板支持面２５によって天板２２を支持するように、各支持脚２３を立てた場合には、第２の床接触面３２が床に接触した状態となり、その高さがＬ２６と低くなる。
【００１５】
次に、図４（Ａ）および（Ｂ）は、上記の支持脚２３の別の例を示す斜視図である。これらの図に示す支持脚５３も、互いに直交する長さの異なる第１および第２の天板支持面５４、５５を規定している第１および第２の天板支持枠５６、５７と、これら第１および第２の天板支持枠５６、５７の双方に対して直交する状態で、それぞれに連結されている連結枠５８と、第１の天板支持枠５６の先端面５９および連結枠５８の側面６１によって規定されているＴ字状の第２の床接触面６２と、第２の天板支持枠５７の先端面６３および連結枠５８の別の側面６４によって規定されているＴ字状の第１の床接触面６５とを有している。
【００１６】
ここで、第１および第２の天板支持枠５６、５７は、直角に折れ曲がった２本のＬ形角材７１、７２と、平行に配置されたこれらＬ形角材の両端をそれぞれ連結している連結用角材７３、７４と、２本のＬ形角材７１、７２を途中位置に相互に連結している連結板７５から構成されている。
【００１７】
また、連結枠５８は、これら２本の連結用角材７３、７４に対してＴ字状に連結されている直角に折れ曲がった１本の連結用角材７６を備えている。
【００１８】
この構成の支持枠５３においても、その向きを変えることにより、図４（Ａ）に示すような高い支持脚、および図４（Ｂ）に示すような低い支持脚とすることができ、従って、これらによって支持される天板（図示せず）の高さを高低の二段階に切り換えることができる。
【００１９】
なお、上記の各例においては木材、あるいは合板を用いているが、金属板あるいは金属製のパイプを用いて支持脚を構成することができる。また、合成樹脂材料からなる成形部材を用いて支持脚を構成することもできる。さらには、異なる素材を用いて支持脚を構成することも可能である。
【００２０】
【発明の効果】
以上説明したように、本発明のテーブルによれば、その支持脚の置き方を９０度変更するという簡単な作業のみで、高さを二段階に変更できる。
【図面の簡単な説明】
【図１】（Ａ）は本発明のテーブルを示す斜視図であり、（Ｂ）は支持脚を低くなるように設置した場合の斜視図である。
【図２】（Ａ）は本発明の一実施例に係るテーブルであり、（Ｂ）はその支持脚のみを示す斜視図である。
【図３】（Ａ）は図２のテーブルの高さを低くした状態を示す斜視図であり、（Ｂ）はその支持脚のみを示す斜視図である。
【図４】本発明のテーブルにおける支持脚の別の実施例を示す斜視図である。
【符号の説明】
１、２１  テーブル
２、２２  天板
３、２３、５３  支持脚
４、２４、５４  第１の天板支持面
５、２５、５５  第２の天板支持面
６、２６、５６  第１の天板支持枠
７、２７、５７  第２の天板支持枠
８、２８、５８  連結枠
９、２９、５９  先端面
１１、３１、６１  連結枠の側面
１２、３２、６２  第２の床接触面
１３、３３、６３  先端面
１４、３４、６４  連結枠の側面
１５、３５、６５  第１の床接触面
Ｌ６  第１の天板支持枠の長さ
Ｌ７  第２の天板支持枠の長さ
【図１】
0004132490.tif 000002
【図２】
0004132490.tif 000003
【図３】
0004132490.tif 000004
【図４】
0004132490.tif 000005